【事件の表示】
　平成１０年特許願第２３７２８３号「高抵抗樹脂ブラックマトリクスからなるカラーフィルター、およびこれを用いた液晶表示装置」拒絶査定不服審判事件〔平成１２年　３月　３日出願公開、特開２０００−　６６０１８〕について、次のとおり審決する。
【結　論】
　本件審判の請求は、成り立たない。
【理　由】
第１　手続の経緯
　本願は、平成１０年８月２４日にされた出願である。原審において、平成２０年１０月１６日付けで拒絶理由が通知され、これに対して同年１２月２５日付けで手続補正がされるとともに意見書が提出された。その後、平成２１年１月２３日付けで最後の拒絶理由が通知され、これに対して同年４月３日付けで手続補正がされるとともに意見書が提出されたものの、同年４月２１日付けで、平成２１年４月３日付けの手続補正の却下の決定がされるとともに拒絶査定がされた。
　上記拒絶査定に対し、平成２１年７月２８日に本件の拒絶査定不服審判の請求がされるとともに手続補正がされた。その後、前置報告書の内容について、審判請求人の意見を求めるために平成２２年７月２０日付けで審尋をしたが、請求人から回答書は提出されなかった。
　
　
　
第２　平成２１年７月２８日付けの手続補正についての補正の却下の決定
〔補正の却下の決定の結論〕
　平成２１年７月２８日付けの手続補正を却下する。
　
〔理由〕
１．本件補正の目的
（１）本件補正後の特許請求の範囲の請求項１
　平成２１年７月２８日付け手続補正（以下「本件補正」という。）は、本件補正前（平成２０年１２月２５日付け手続補正によって補正した。以下、同じ。）の特許請求の範囲の請求項１の記載を以下のとおり補正することを含むものである（下線は補正箇所を示す）。
「透明基板上にブラックマトリックスを設け、さらに３原色からなる着色層を複数配列したカラーフィルターにおいて、（Ａ）該ブラックマトリックスが
少なくともポリイミド系樹脂、エポキシ樹脂、アクリル樹脂、ポリエステル系樹脂のいずれかの
インプレーンスイッチング方式
　
（２）本件補正前の特許請求の範囲の請求項１
　本件補正前の特許請求の範囲の請求項１は、平成２０年１２月２５日付けの手続補正により、下記のとおりのものとなっていた。
「透明基板上にブラックマトリックスを設け、さらに３原色からなる着色層を複数配列したカラーフィルターにおいて、（Ａ）該ブラックマトリックスが樹脂とそれに分散された遮光剤からなり、該ブラックマトリックスの電気抵抗が１０9 Ω・ｃｍ以上であって、該遮光剤がチタン酸窒化物であり、（Ｂ）スペーサーがカラーフィルターを形成した基板のブラックマトリックス上およびまたは非表示部に固定されていることを特徴とする液晶表示装置用カラーフィルター。」
　
（３）本件補正の目的について
　請求項１に係る補正は、補正前の「樹脂」を「少なくともポリイミド系樹脂、エポキシ樹脂、アクリル樹脂、ポリエステル系樹脂のいずれかの樹脂」に限定するとともに、補正前の「液晶表示装置」を「インプレーンスイッチング方式液晶表示装置」に限定する補正を内容とするものであるから、本件補正は、平成１８年法律第５５号改正附則第３条第１項によりなお従前の例によるとされる同法による改正前の特許法第１７条の２（以下単に「特許法第１７条の２」という。）第４項第２号に掲げる、特許請求の範囲の減縮を目的とする補正を含むものである。
　そこで、本件補正後の請求項１に係る発明(以下「本願補正発明」という。)が、特許出願の際独立して特許を受けることができるものであるか否か、すなわち、特許法第１７条の２第５項において準用する同法第１２６条第５項に規定する要件を満たすか否かについて、以下に検討する。
　
　
２　刊行物及び各刊行物の記載事項並びに引用発明１の認定
（１）引用例１
　本願出願前に頒布された刊行物である、特開平９−２７９０８２号公報（以下「引用例１」という。）には、以下の事項の記載がある（下記「（２）引用発明１の認定」において特に関連する部分に下線を引いた。）。
ア　【特許請求の範囲】の欄
「【請求項１】  遮光性材料および高分子材料を含有し、該遮光性材料が複粒径分布を有する粉体粒子であることを特徴とする黒色塗料組成物。
【請求項２】  複粒径分布が、所定の粒径を平均粒径とする粒径分布、およびそれよりも小さい粒径を平均粒径とする１または２以上の小粒径分布からなる請求項１に記載の組成物。
【請求項３】  該小粒径分布における平均粒径が１のとき、所定の粒径を平均粒径とする粒径分布の平均粒径は約４以上である請求項２に記載の組成物。
【請求項４】  該小粒径分布の粉体粒子量が全粉体粒子量に対して１〜４０重量％である請求項２または３に記載の組成物。
【請求項５】  粉体粒子の粒径が約５００ｎｍ以下である請求項１〜４のいずれかに記載の組成物。
【請求項６】  遮光性材料がカーボンブラック、チタンブラック、金属酸化物、金属硫化物および有機顔料から選ばれる少なくとも１種である請求項１〜５のいずれかに記載の組成物。
【請求項７】  遮光性材料と高分子材料との重量比が１０〜８０：９０〜２０である請求項１〜６のいずれかに記載の組成物。
【請求項８】  請求項１〜７のいずれかに記載の組成物を用いて遮光性薄膜を形成することを特徴とするカラーフィルターの製造方法。」
　
イ　【発明の詳細な説明】の欄
「【０００１】
【発明の属する技術分野】本発明は黒色塗料組成物およびその応用に関する。更に詳しくは、本発明は、特に、液晶表示素子や撮像素子などに用いられるカラーフィルターの遮光性薄膜の形成に有用な黒色塗料組成物およびそれを用いるカラーフィルターの製造方法に関する。
【０００２】
【従来の技術および発明が解決しようとする課題】液晶表示素子などに用いられるカラーフィルターにおいて、コントラストや色純度の向上、あるいは、スイチッング素子などへの光洩れの防止のために、例えば、透明基板上に形成された赤、緑および青色の各透明着色微細パターンの間隙にブラックマトリックスと呼ばれる遮光性薄膜を設けることや、スイッチング素子の上に配置される基板上に不要光を遮る遮光性薄膜を設けることが知られている。
【０００３】遮光性薄膜は、基板との密着性、耐熱性、耐水性、耐湿性、耐薬品性などが優れるとともに遮光性がより高いことが要求されている。このような遮光性薄膜を形成する原材料としては、金属系および樹脂系材料が主に用いられている。金属系材料としてはクロム等が、また、樹脂系材料としては、樹脂等の高分子材料とカーボンブラック等の遮光性材料とを含む組成物が用いられている。これらのうち、クロム等の金属材料には、公害の問題、形成した遮光性薄膜の光反射率が高いという問題、さらには製造コストが高いといった問題などがあるために、現在では樹脂系材料が注目されている。
…（中略）…
【０００５】
【課題を解決するための手段】本発明者らは、高遮光性を有するとともに塗布作業性も優れ、また、液晶表示素子などに用いられるカラーフィルターの遮光性薄膜に要求されるその他の特性も満足する工業的有利な樹脂系材料を見出すために鋭意検討を行い、本発明を完成するに至った。
本発明の目的は、遮光性材料および高分子材料を含有し、遮光性材料が複粒径分布を有する粉体粒子であることを特徴とする黒色塗料組成物を提供することである。
【０００６】本発明の他の目的は、遮光性材料および高分子材料を含有し、遮光性材料が複粒径分布を有する粉体粒子であることを特徴とするカラーフィルターの遮光性薄膜形成用黒色塗料組成物を提供することである。
本発明のさらに他の目的は、上記の黒色塗料組成物を用いて遮光性薄膜を形成することを特徴とするカラーフィルターの製造方法を提供することである。
【０００７】
【発明の実施の形態】以下に本発明の実施形態について詳細に説明する。本発明で用いる遮光性材料は、その種類については特に制限されることなく、カーボンブラック、チタンブラック、黒色酸化鉄のような金属酸化物、硫化ビスマスのような金属硫化物等のほか、フタロシアニンブラック、ニグロシン、アニリンブラック、ペリレンブラックなどの黒色有機顔料や、赤、緑、青等の有彩色有機顔料の混合物などが例示される。このような遮光性材料として、例えば、Ｓｐｅｃｉａｌ  Ｂｌａｃｋ  ５５０（Ｄｅｇｕｓｓａ社）、Ｒａｖｅｎ  ４１０，１２５０など（Ｃｏｌｏｎｂｉａｎ  Ｃａｒｂｏｎ社）、ＢＹ−００４（三菱マテリアル社）、Ｐａｌｉｏｇｅｎ  Ｂｌａｃｋ  Ｌ００８４（ＢＡＳＦ社）、などの市販品から適宜選択することもできる。
本発明の塗料組成物をカラーフィルターの遮光性薄膜形成材料として使用する場合は、特に、カーボンブラック、チタンブラックなどが好適である。
…（中略）…
【００１３】
本発明における高分子材料は、本技術分野で通常用いられているいずれのものでもよく、耐熱性、耐溶剤性などの特性を有する熱硬化性または感光性材料などが挙げられる。
【００１４】
感光性材料としては、アクリル樹脂、ポリエステル樹脂、ポリイミド樹脂などを含む材料が例示される
 …（中略）… 
【００１８】カラーフィルターは、本発明の黒色塗料組成物を用い、印刷法、顔料分散法、電着法など、公知のいずれの方法によっても製造することができる。例えば、公知のいずれかの方法にしたがって、ガラスなどの透明基板上に所望の形状の透明着色微細パターンを形成し、高分子材料としてネガ型フォトレジストを用いて得た本発明の黒色塗料組成物を透明着色微細パターンが形成されている基板上の全面に塗布、次いで基板の裏面から露光、現像を行うことにより透明着色微細パターンの間隙に遮光性薄膜を形成してなるカラーフィルターを得ることができる。
【００１９】
また例えば、高分子材料としてネガ型またはポジ型フォトレジストを用いて本発明の黒色塗料組成物を得、この組成物を用い、特開平７−３５９２０号公報に記載された方法にしたがって窓枠状の遮光性薄膜を形成し、次いで窓状の着色パターンを形成することによってもカラーフィルターを得ることができる。
 …（中略）… 
【００２５】
【発明の効果】本発明により、高遮光性を有するとともに塗布作業性も優れ、また、液晶表示素子などに用いられるカラーフィルターの遮光性薄膜に要求されるその他の特性をも満足する工業的有利な黒色塗料組成物が提供される。」
　
（２）引用発明１の認定
ア　引用例１の段落【０００２】の「液晶表示素子などに用いられるカラーフィルターにおいて、コントラストや色純度の向上…（中略）…のために、例えば、透明基板上に形成された赤、緑および青色の各透明着色微細パターンの間隙にブラックマトリックスと呼ばれる遮光性薄膜を設けること…（中略）…が知られている。」との記載、段落【０００５】の「本発明の目的は、遮光性材料および高分子材料を含有し、遮光性材料が複粒径分布を有する粉体粒子であることを特徴とする黒色塗料組成物を提供することである。」との記載、及び、段落【０００６】の「本発明のさらに他の目的は、上記の黒色塗料組成物を用いて遮光性薄膜を形成することを特徴とするカラーフィルターの製造方法を提供することである。」との記載を参酌すると、引用例１の記載から「遮光性材料及び高分子材料を含有する黒色塗料組成物を用いてブラックマトリックスと呼ばれる遮光性薄膜を形成した、液晶表示素子に用いられるカラーフィルター」の発明を把握することができる。
　
イ　引用例１の段落【０００７】の「本発明の塗料組成物をカラーフィルターの遮光性薄膜形成材料として使用する場合は、特に、カーボンブラック、チタンブラックなどが好適である。」との記載を参酌すると、引用例１には「遮光性材料がチタンブラックからなること」が記載されていると認められる。
　
ウ　引用例１の段落【００１３】の「本発明における高分子材料は、本技術分野で通常用いられているいずれのものでもよく、耐熱性、耐溶剤性などの特性を有する熱硬化性または感光性材料などが挙げられる。」との記載、及び、段落【００１４】の「感光性材料としては、アクリル樹脂、ポリエステル樹脂、ポリイミド樹脂などを含む材料が例示される」との記載との記載を参酌すると、引用例１には「高分子材料がアクリル樹脂、ポリエステル樹脂、ポリイミド樹脂などを含む感光性材料からなること」が記載されていると認められる。
　
エ　引用例１の段落【００１９】の「高分子材料としてネガ型またはポジ型フォトレジストを用いて本発明の黒色塗料組成物を得、…（中略）…窓枠状の遮光性薄膜を形成し、次いで窓状の着色パターンを形成することによってもカラーフィルターを得ることができる。」との記載を参酌すると、引用例１には「遮光性薄膜が窓枠状に形成され、次いで窓状の着色パターンが形成されたカラーフィルター」が記載されていると認められる。
　
オ　上記アないしエを総合すると、引用例１には下記の発明（以下「引用発明１」という。）が記載されていると認められる。
＜引用発明１＞
「遮光性材料及び高分子材料を含有する黒色塗料組成物を用いてブラックマトリックスと呼ばれる遮光性薄膜を形成した、液晶表示素子に用いられるカラーフィルターであって、
　前記遮光性材料がチタンブラックからなり、
　前記高分子材料がアクリル樹脂、ポリエステル樹脂、ポリイミド樹脂などを含む感光性材料からなり、
　前記遮光性薄膜が窓枠状に形成され、次いで窓状の着色パターンが形成された、液晶表示素子に用いられるカラーフィルター。」
　
　
（３）引用例２
　本願出願前に頒布された刊行物である、特開平９−４９９１４号公報（以下「引用例２」という。）には、図面とともに、以下の事項の記載がある（下記「第３」の「２」の「（２）引用発明２の認定」において特に関連する部分に下線を引いた。）。
ア　【特許請求の範囲】の欄
「【請求項１】
透明基板上に樹脂中に遮光剤を分散させてなる樹脂ブラックマトリクスを設け、さらにその上に３原色からなる着色層を複数配列したカラーフィルタにおいて、
（Ａ）前記樹脂ブラックマトリクスが表示領域内のマトリクスおよび表示領域周辺部に設けられた額縁を形成し、
（Ｂ）前記樹脂ブラックマトリクスの表示領域内のマトリクスおよび表示領域周辺部に設けられた額縁上に３原色からなる着色層の積層により形成されたスペーサーを有することを特徴とするカラーフィルタ。
【請求項２】樹脂ブラックマトリクスを形成する樹脂がポリイミドであることを特徴とする請求項１記載のカラーフィルタ。
…（中略）…
【請求項９】透明電極基板と透明電極を有するカラーフィルタにより液晶層を狭持したカラー液晶表示素子において、カラーフィルタが、透明基板上に樹脂中に遮光剤を分散させてなる樹脂ブラックマトリクスと３原色からなる着色層を設けたカラーフィルタであり、　
（Ａ）前記樹脂ブラックマトリクスが表示領域内のマトリクスおよび表示領域周辺部に設けられた額縁を形成し、　
（Ｂ）前記樹脂ブラックマトリクスの表示領域内のマトリクスおよび表示領域周辺部に設けられた額縁上に３原色からなる着色層の積層により形成されたスペーサーを有することを特徴とするカラー液晶表示素子。　
【請求項１０】透明電極基板がカラーフィルタのスペーサーと接触する部位に絶縁膜を有することを特徴とする請求項９記載のカラー液晶表示素子。」　
　
イ　【発明の詳細な説明】の欄
「【０００１】
【発明の属する技術分野】
本発明は、スペーサー機能を有するカラーフィルタを用いたカラー液晶表示素子に関する。
【０００２】
【従来の技術】従来、使用されているカラー液晶表示素子は、液晶層の厚み（セルギャップ）を保持するために、一般に、図２に示すように、薄膜トランジスタ（ＴＦＴ）や複数の走査電極などを具備した電極基板とカラーフィルタ側の基板との間にプラスチックビーズまたはガラス繊維をスペーサーとして使用している。ここでプラスチックビーズなどのスペーサーは散布されるため、電極基板とカラーフィルタ側の基板間のどの位置（面内位置）に配置されるかは定まっていない。
【０００３】特開昭５６−１４０３２４、特開昭６３−８２４０５、特開平４−９３９２４、特開平５−１９６９４６には、カラーフィルタを形成する着色層を重ね合わせた構造をスペーサーとして用いた液晶表示素子が提案されている。
【０００４】
【発明が解決しようとする課題】プラスチックビーズなどをスペーサーとして用いるカラー液晶表示素子においては、プラスチックビーズなどのスペーサーの位置が定まっておらず、画素上に位置するスペーサーによる光の散乱や透過により液晶表示素子の表示品位が低下するという問題があった。
【０００５】プラスチックビーズなどのスペーサーを散布して使用する液晶表示素子には、この他にも下記の問題がある。すなわち、スペーサーが球状あるいは棒状の形であり、セル圧着時に点または線で接触するために、配向膜や透明電極が破損し、表示欠陥が発生しやすいという欠点があった。さらに配向膜や透明電極の破損により、液晶が汚染され、電圧が低下しやすいという欠点もあった。
【０００６】また、スペーサーを均一に散布する工程が必要であったり、あるいはスペーサーの粒度分布を高精度に管理することが必要であることから、簡便な方法で安定した表示品位の液晶表示素子を得ることが難しかった。
【０００７】さらに、カラーフィルタにおける画素部と額縁部の厚みが異なり、かつ、額縁部へのスペーサーの散布密度が画素部に比較して低くなり易いため、そのような状態で決まるセルギャップの不均一性を反映して、額縁に近い画面に干渉縞を生じるなどの不具合が起こり易かった。
【０００８】特開昭５６−１４０３２４、特開昭６３−８２４０５、特開平４−９３９２４、特開平５−１９６９４６では、２色あるいは３色の着色層を重ね合わせた構造をスペーサーとして用ることが提案されている。これら開示技術で実際に得られる液晶層の厚み（セルギャップ）は、着色層の１層あるいは２層分の厚みとなり、十分なセルギャップを持った液晶表示素子を得ることが難しく、また、着色層の１層あるいは２層分の厚みでセルギャップを保持できたとしても着色層の厚膜化に伴う、例えば、カラーフィルタ上に形成されるＩＴＯ膜の耐久性の低下など、満足な信頼性を有する液晶表示素子が得られにくかった。
【０００９】更に、着色層を重ね合わせた構造を持つスペーサーが画素部周辺のみに存在することから上記のように画面周辺部においてセルギャップを均一に保持することが難しいという問題点があった。
【００１０】本発明は、前記の問題点に鑑み、十分なセルギャップを実現するとともに、画面全体で均一なセルギャップを保持し、前記した従来の欠点を克服するカラーフィルタおよびカラー液晶表示素子を提供することを目的とするものである。
【００１１】
【課題を解決するための手段】前記目的を達成するために、本発明のカラーフィルタおよびカラー液晶表示素子は、以下の構成を有するものである。
【００１２】すなわち、本発明は透明基板上に樹脂中に遮光剤を分散させてなる樹脂ブラックマトリクスを設け、さらにその上に３原色からなる着色層を複数配列したカラーフィルタにおいて、（Ａ）前記樹脂ブラックマトリクスが表示領域内のマトリクスおよび表示領域周辺部に設けられた額縁を形成し、（Ｂ）前記樹脂ブラックマトリクスの表示領域内のマトリクスおよび表示領域周辺部に設けられた額縁上に３原色からなる着色層の積層により形成されたスペーサーを有することを特徴とするカラーフィルタであり、また、透明電極基板と透明電極を有するカラフィルタにより液晶層を挟持したカラー液晶表示素子において、カラーフィルタが、透明基板上に樹脂中に遮光剤を分散させてなる樹脂ブラックマトリクスと３原色からなる着色層を設けたカラーフィルタであり、（Ａ）前記樹脂ブラックマトリクスが表示領域内のマトリクスおよび表示領域周辺部に設けられた額縁を形成し、（Ｂ）前記樹脂ブラックマトリクスの表示領域内のマトリクスおよび表示領域周辺部に設けられた額縁上に３原色からなる着色層の積層により形成されたスペーサーを有することを特徴とするカラー液晶表示素子である。
【００１３】
【発明の実施の形態】本発明を以下に詳細に説明する。
【００１４】本発明の液晶表示素子に使用するカラーフィルタは、透明基板上に樹脂および遮光剤からなる樹脂ブラックマトリクスを設け、さらにその上に３原色からなる着色層を複数配列したものである。カラーフィルタは３原色からなる各着色層により被覆された画素を一絵素とし、多数の絵素により構成されている。ここで言うブラックマトリクスは、表示領域内のマトリクス、すなわち、各画素間に配列された遮光領域を形成するとともに、表示領域周辺部に設けられた額縁を形成する。表示領域内のマトリクスは液晶表示素子の表示コントラストを向上させるために設けられており、表示領域周辺部に設けられた額縁は画面周辺部における光の漏れ込みを防ぐために形成されている。
【００１５】本発明のカラーフィルタに用いられる透明基板としては、特に限定されるものでなく、石英ガラス、ホウケイ酸ガラス、アルミノケイ酸塩ガラス、表面をシリカコートしたソーダライムガラスなどの無機ガラス類、有機プラスチックのフィルムまたはシートなどが好ましく用いられる。
【００１６】この透明基板上に樹脂および遮光剤からなる樹脂ブラックマトリクスを設けるが、ブラックマトリクスに用いられる樹脂としては、特に限定されないが、エポキシ系樹脂、アクリル系樹脂、ウレタン系樹脂、ポリエステル系樹脂、ポリイミド系樹脂、ポリオレフィン系樹脂、ゼラチンなどの感光性または非感光性の材料が好ましく用いられる。ブラックマトリクス用樹脂は、画素や保護膜に用いられる樹脂よりも高い耐熱性を有する樹脂が好ましく、また、ブラックマトリクス形成後の工程で使用される有機溶剤に耐性を持つ樹脂が好ましいことからポリイミド系樹脂が特に好ましく用いられる。
…（中略）…
【００２３】
ブラックマトリクス用の遮光剤としては、カーボンブラック、酸化チタン、四酸化鉄などの金属酸化物粉、金属硫化物粉、金属粉の他に、赤、青、緑色の顔料の混合物などを用いることができる。
…（中略）…
【００６１】
【発明の効果】本発明のカラーフィルタは、着色層の積層により形成されたスペーサーを樹脂ブラックマトリクスおよび額縁上に設け、対応する透明基板側に絶縁部位を設けたものであり、これを用いて液晶表示素子を作成した場合に以下の効果が得られる。
【００６２】(1) スペーサーが画素部上に存在せず、スペーサーによる光の散乱や透過による表示品位の低下がなく、特に表示のコントラストが向上する。
【００６３】(2) スペーサーが面で対向する透明電極基板と接触するために、配向膜や透明電極の破損が少なく、欠陥の少ない表示が得られる。
【００６４】(3) スペーサーを散布する工程が不要になり、液晶表示素子の製造工程が簡略化される。
【００６５】(4) スペーサーの粒度分布を高精度に管理する必要がなく、液晶表示素子の製造が容易になる。
【００６６】(5) 表示領域内および額縁において樹脂ブラックマトリクスとと着色層２層分の膜厚のセルギャップが保持され、十分均一なセルギャップを持った液晶表示素子が得られる。
【００６７】(6) カラーフィルタ上のＩＴＯ膜の耐久性が良好である。
【００６８】(7) スペーサー上のＩＴＯを介してのカラーフィルタ上の透明（コモン）電極とアクティブマトリクス基板側の透明電極や回路との電気的な短絡の危険を回避できる。」
　
（４）引用例３
　本願出願前に頒布された刊行物である、特開平１０−１０４６０６号公報（以下「引用例３」という。）には、以下の事項の記載がある。
ア　【特許請求の範囲】の欄
「【請求項１】透明基板上にブラックマトリクスを設けさらにその上に３原色の着色膜を形成してなるカラーフィルタ基板と、基板に平行な向きに電界をかけるよう構成された電極を備えた電極付き基板を貼り合わせた後、液晶を注入してなる液晶表示装置において、カラーフィルタ基板のブラックマトリクス上に３原色の着色層の重ね合わせによるスペーサを有することを特徴とする液晶表示装置。
…（中略）…
【請求項６】ブラックマトリクスが樹脂中に遮光剤を分散させてなることを特徴とする請求項１記載の液晶表示装置。
【請求項７】樹脂ブラックマトリクスを形成する樹脂がポリイミドであることを特徴とする請求項６記載の液晶表示装置。
【請求項８】３原色からなる着色層がポリイミドからなることを特徴とする請求項１記載の液晶表示装置。
【請求項９】電極付き基板が薄膜トランジスタを備えていることを特徴とする請求項１記載の液晶表示装置。」
　
イ　【発明の詳細な説明】の欄
「【０００１】
【発明の属する技術分野】本発明は、基板に平行な向きを持つ電界により駆動される液晶表示装置に関する。
【０００２】
【従来の技術】従来、使用されているＴＮモードやＩＰＳモード（横電界方式）などのカラー液晶表示素子は、通常、液晶層の厚み（セルギャップ）を保持するために、一般に、図２に示すように、薄膜トランジスタ（ＴＦＴ）や複数の走査電極などを具備した電極基板とカラーフィルタ側の基板との間にプラスチックビーズまたはガラス繊維をスペーサーとして使用している。ここでプラスッチクビーズなどのスペーサーは散布されるため、電極基板とカラーフィルタ側の基板間のどの位置（面内位置）に配置されるかは定まっていない。
【０００３】特開昭５６−１４０３２４、特開昭６３−８２４０５、特開平４−９３９２４、特開平５−１９６９４６には、カラーフィルタを形成する着色層を重ね合わせた構造をスペーサーとして用いた液晶表示素子が提案されている。
【０００４】プラスチックビーズなどをスペーサーとして用いるカラー液晶表示素子においては、プラスチックビーズなどのスペーサーの位置が定まっておらず、画素上に位置するスペーサーによる光の散乱や透過により液晶表示素子の表示品位が低下するという問題があった。
【０００５】プラスチックビーズなどのスペーサーを散布して使用する液晶表示素子には、この他にも下記の問題がある。すなわち、スペーサーが球状あるいは棒状の形であり、セル圧着時に点または線で接触するために、配向膜や透明電極が破損し、表示欠陥が発生しやすいという欠点があった。さらに配向膜や透明電極の破損により、液晶が汚染され、電圧が低下しやすいという欠点もあった。
【０００６】また、スペーサーを均一に散布する工程が必要であったり、あるいはスペーサーの粒度分布を高精度に管理することが必要であることから、簡便な方法で安定した表示品位の液晶表示素子を得ることが難しかった。
【０００７】これらの問題点に対して、特開昭５６−１４０３２４、特開昭６３−８２４０５、特開平４−９３９２４、特開平５−１９６９４６では、２色あるいは３色の着色層を重ね合わせた構造をスペーサーとして用いることが提案されている。これら開示技術で実際に得られる液晶層の厚み（セルギャップ）は、着色層の１層あるいは２層分の厚みとなり、十分なセルギャップを持った液晶表示素子を得ることが難しく、また、着色層の１層あるいは２層分の厚みでセルギャップを保持できたとしても着色層の厚膜化に伴う、満足な信頼性を有する液晶表示装置が得られにくかった。
【０００８】又、こうした色重ねによるスペーサーを有するカラーフィルターを液晶表示装置に用いる場合、ＴＮ型の液晶表示装置においては、スペーサーの対向基板への付き当て部の透明電極が対向基板の電極と短絡するのを防ぐため、対向基板若しくはスペーサー上部に絶縁膜を形成する必要があったり、あるいはスペーサーの形成位置、サイズに制限を設ける必要がありカラーフィルターの作成を困難にしていた。
【０００９】
【発明が解決しようとする課題】本発明は、上記従来技術の欠点に鑑み創案されたもので、その目的とするところは、作製容易で高コントラスト、広視野角の表示品位に優れたカラー液晶表示装置を得ることにある。
【００１０】
【課題を解決するための手段】上記課題を解決するために本発明は次の構成を有する。
【００１１】透明基板上にブラックマトリクスを設けさらにその上に３原色の着色膜を形成してなるカラーフィルタ基板と、基板に平行な向きに電界をかけるよう構成された電極を備えた電極付き基板を貼り合わせた後、液晶を注入してなる液晶表示装置において、カラーフィルタ基板のブラックマトリクス上に３原色の着色層の重ね合わせによるスペーサを有することを特徴とする液晶表示装置。
【００１２】
【発明の実施の形態】本発明で用いられるカラーフィルターとは、透明基板上に、遮光性の材料をパターン加工することによりブラックマトリクスを設け、さらに任意の色数で各色別に所望のパターン状に設けられた着色層からなる画素を有し、ブラックマトリックス上に着色層の重ね合わせによるスペーサーを有し、さらに必要に応じて該着色層上にオーバーコート膜が形成されたカラーフィルターであり、主に透明基板に対して平行な向きの電界（横電界）により駆動されるカラー液晶表示装置においてより好ましく用いられる。該液晶表示装置においては、通常ＴＮモードで使用する場合に必要であるカラーフィルター基板側のコモン電極を設ける必要がない。そのため、カラーフィルター基板側に設けられた色重ねスペーサーが対向基板と接触しても、コモン電極と対向基板側の配線や画素電極が短絡することがない。従って、スペーサーのサイズの制限が緩くなる。加えて、対向基板の側に別途、絶縁膜を設ける必要もなくなり、工程数や加工精度の点からカラーフィルター、液晶表示装置の作成が容易になるからである。
【００１３】本発明で言うところの着色膜とは任意の色の光を透過する性能を有する膜のことであり、その材質はどのようなものであってもかまわない。尚且つラビング等の配向処理方法により着色膜に接触した液晶分子を配向させる事が可能な膜であればより好ましい。液晶表示パネルを作製する際に、カラーフィルタ上に配向膜を塗布する工程を省くことができるからである。
【００１４】着色膜の具体的材質としては、染色、顔料及び染料分散されたポリイミド膜、染色処理されたＰＶＡ（ポリビニルアルコール）、任意の光のみを透過するように膜厚制御されたＳｉＯ2 膜等があるが、顔料分散されたポリイミド膜である事がより好ましい。他の材料で着色膜を形成する場合と比べて同等若しくはより簡便なプロセスで着色膜を形成できる事に加えて、耐熱性、耐光性、耐薬品性においてより優れているからである。
【００１５】本発明で用いられるカラーフィルターは、ブラックマトリクスと呼ばれる各画素間に配列された遮光領域を有することが望ましい。液晶表示装置のコントラストを向上させることができるからである。
【００１６】ブラックマトリックスとしては通常Ｃｒ、Ａｌ、Ｎｉなどの金属薄膜（厚さ約０．１〜０．２μｍ）や樹脂中に遮光剤を分散させてなる樹脂ブラックマトリクスが用いられるが、本発明においてはポリイミド膜中に黒色顔料を分散させてなる樹脂ブラックマトリクスを用いることがより好ましい。低反射、耐熱性, 、耐溶剤性に優れるという特徴を持つうえ、、低比誘電率であるため横電界に対して擾乱作用が少ないという特徴を合わせ持つからである。さらには、画素上と同様にラビング処理により液晶の配向規制力を持たせることも可能であるからである。
…（中略）…
【００５３】
【発明の効果】本発明の液晶表示装置は、着色層の積層により形成されたスペーサーをカラーフィルター基板の樹脂ブラックマトリクス上に設け、横電界により駆動される液晶表示装置であり、以下の効果が得られる。
【００５４】(1) スペーサーが画素部上に存在せず、スペーサーによる光の散乱や透過による表示品位の低下がなく、特に表示のコントラストが向上する。
【００５５】(2) カラーフィルター側に透明電極を設ける必要がないため、基板貼り合わせ時における電極の短絡の恐れがなく、カラーフィルターの作成が容易になる。」
　
（５）引用例４
　本願出願前に頒布された刊行物である、特開平９−５４２０３号公報（以下「引用例４」という。）には、以下の事項の記載がある。
ア　段落【０００１】〜【００１０】
「【０００１】
【発明の属する技術分野】本発明は、精細度および遮光能力の高い遮光層とその形成方法、および前記遮光層を有する基板の製造方法に関し、特に液晶表示装置等に用いられるカラーフィルターや白黒表示薄膜トランジスタアレイ基板用対向電極基板の作成等に利用可能な遮光層とその形成方法、および前記遮光層を有する基板の製造方法に関する。
【０００２】
【従来の技術】カラー液晶表示装置の代表例としては薄膜トランジスタ−アクティブマトリックス・カラー液晶装置が知られている。この装置は例えば、基板上に薄膜トランジスタ（以下、ＴＦＴと略す）および該ＴＦＴにより駆動される表示電極を形成し、さらにその上に配向膜を形成したものと、対向基板上に透明導電層を形成し、さらに該透明導電層上に黒色の遮光層からなるブラックマトリックスおよび赤、緑、青等の各着色層（以下、場合により各層をそれぞれ「Ｒ」、「Ｇ」、「Ｂ」と略示する。）を形成し、さらにその上に配向膜を形成したものとを、各配向膜を内側にして相対向せしめ、間隙に液晶を充填し、さらに外側を２枚の偏光板で挟んだ構造をしている。
【０００３】このようなカラーフィルターの作成方法としては現在、染色法、染・顔料分散法、印刷法、電着法、転写法等の方法が提案されており、いずれの場合にも各着色層および黒色の遮光層の配列の位置精度は極めて重要である。中でも特に遮光層は、表示電極周辺部で光もれが生じないように対向電極基板上に位置決めされていなければならないだけでなく、各着色層の間に隙間なく位置決めされていなくてはならず、しかもコントラスト等の画面の品位に与える影響が大きい。そのため、遮光層部分を精度よく作成した後、各着色層をある程度重なり合わせて形成しているのが現状である。例えば、クロム等の金属の蒸着膜をフォトリソグラフィック技術を用いてパターニングしてブラックマトリックスを形成した後、Ｒ、Ｇ、Ｂの各着色層境界を少しづつ重ね合わせて形成したりしている。しかしこのような方法では、カラー液晶表示装置用途として要求の強い、表面平坦性に優れたカラーフィルターが製造できないという問題がある。
【０００４】また、薄膜トランジスタ式（ＴＦＴ式）白黒ディスプレイ装置は着色層を有しない以外は前記カラー液晶表示装置と同様の構造であり、ブラックマトリックス状の遮光層が形成された透明基板が備えられ、対向電極基板として機能する。対向電極基板は、従来スパッタリング法等によってガラス上に膜付された金属クロム層にレジストを塗布した後、露光、現像、エッチング、剥膜によって遮光層を形成し、さらにインジウム−錫酸化物（ＩＴＯ）透明電極をスパッタリング法等によって全面に設けている。
【０００５】しかしながら、金属で遮光層を形成する場合、蒸着法やリソグラフィー等ではピンホールが発生しやすく煩雑な工程が多いという製造上の問題に加え、金属で形成した遮光層は光反射率が高いため、ディスプレイ装置の視認性に劣るという問題もある。特にＴＦＴ式白黒ディスプレイ装置を作成する場合、遮光層形成と電極形成のために真空プロセスを２度用いる必要があり操作が煩雑である。
【０００６】そこでこれらの問題を解決するために、特開昭６３−３１４５０１号公報、特開平１−２９３３０６号公報および特開平５−３４５１４号公報において、黒色やそれに近い濃色の顔料を配合した感光性樹脂組成物を遮光層として用いる方法が提案されている。具体的には、予め濃色に着色された感光性樹脂組成物層を透明基板上に形成し、パターンマスクを介して遮光層として必要な部分のみに露光して感光性樹脂組成物層を硬化させ、未露光部分のみを現像除去する方法、およびＲ、Ｇ、Ｂの層が形成された基板上に予め濃色に着色された感光性樹脂組成物層を形成し、基板の裏面（感光性樹脂組成物層が形成されていない面）から露光して該感光性樹脂組成物層を硬化させ、未露光部分のみを現像除去する方法、ならびにこれら２方法を併用する方法等が記載されている。しかし、濃色に着色された感光性樹脂組成物は、光吸収性が高いため、露光しても十分な深度まで硬化が進行せず、現像除去時の濃色に着色された感光性樹脂組成物が除去されやすく、遮光能の大きな遮光層が形成されにくいという欠点がある。さらに感光性樹脂組成物は露光部分が硬化する光重合性のものが使用されることが多く、空気中での露光では酸素による硬化阻害が著しくこれを防止するために酸素遮断膜を設ける、真空下や窒素、アルゴン等の酸素不存在下の雰囲気下で露光する等の煩雑な操作が必要となる。これらの煩雑な操作を解決する方法として露光量を極端に大きくすることが考えられるが、光の反射および散乱や洩れが多くなり、また基板の温度上昇等も生じやすいため高い精度を有する遮光層を形成することは困難である。
【０００７】一方、黒色やそれに近い黒色の顔料を配合した感光性樹脂組成物からなる遮光層を、白黒表示ＴＦＴアレイ基板用対向電極基板のブラックマトリックスとして用いる場合、ブラックマトリックス自体に導電性が無く、ブラックマトリックス上の液晶が電圧に応答しないため、ＴＦＴで用いられるノーマリーホワイト方式では、電圧印加時の画素周辺部分の光漏れを生じ、コントラストが低下する。これを避けるためには、対向電極基板として透明電極を設けた透明基板を用いていても、再度透明電極をスパッタリング等の方法で全面に設ける必要があり、製造工程が煩雑になる。
【０００８】これらの課題を解決する方法として、本発明者らは、特開平７−４３５２２号公報で、カーボンブラックを必須成分とする遮光層を電着法により形成する方法を提案した。この電着法を利用した遮光層は、導電性を有し、かつ従来技術に比べ遮光性に優れている。しかしこの方法では、導電性材料であるカーボンブラックを使用しているため、カラーフィルターを作成する場合に、加熱条件を特定範囲として導電性を制御する必要がある。
【０００９】また、液晶ディスプレイ装置において、ブラックマトリックスのような遮光性が要求される他の部位として、液晶のシール部がある。シール部に用いられるシール剤は上下の基板を接着させてその内側の液晶を保護する役目があり、接着性および耐湿性等の特性が要求される。さらに、最近では、シール部には、カラーフィルターの外枠部分からの光漏れを防ぐための遮光性も期待されるようになっている。しかし、カーボンブラック等の通常の着色力の大きい顔料を添加した場合、前記の特性を損なうだけでなく、導電性が発現し、液晶の誤作動の原因となる。したがって、シール部には遮光性が期待されているにも関わらず、実際は遮光剤は添加されていないのが実状である。
【００１０】さらに、遮光性が要求される他の部位として、液晶のスペーサーがある。液晶のスペーサーは液晶層の厚みを厳密に制御する必要があり、現行では一定の粒径の微少の有機または無機のビーズが一定の分散度で散布されている。しかし、このようなスペーサーは着色画素上に存在するとき、コントラストの低下の原因となる。そこで、最近、ブラックマトリックスにスペーサーの役割を付与させるという提案がある。しかし、この場合もブラックマトリックスに遮光性とともに非導電性が要求されるが、現状ではこのような望ましい物性を備え、スペーサーの機能を兼ねることのできるブラックマトリックスの材料およびその塗布方法は見いだされていないのが現状である。」
　
イ　段落【００５４】
「【００５４】前記遮光層は、遮光層としての機能以外に液晶の膜厚を制御するスペーサーとしての機能を兼ねたブラックマトリックスとして形成することもできる。この場合体積抵抗率は高いほうが望ましく、１×１０6〜１×１０15Ω・cm、特に１×１０9〜１×１０15Ω・cmが望ましい。」
　
（６）引用例５
　本願出願前に頒布された刊行物である、特開平９−２６５００６号公報（以下「引用例５」という。）には、以下の事項の記載がある。
ア　【特許請求の範囲】の欄
「【請求項１】遮光剤を含む樹脂からなるブラックマトリックスであって、比抵抗率が、７×１０4 Ω・ｃｍ以上であることを特徴とする樹脂ブラックマトリックス。」
　
イ　【発明の詳細な説明】の欄
「【０００１】
【発明の属する技術分野】本発明は、液晶表示装置のカラーフィルタなどに使用される樹脂ブラックマトリックス、それを製造するための黒色ペーストおよびそれを用いたカラーフィルタに関するものであリ、更に詳しくは電気絶縁性と遮光性に優れ、低反射性、高解像度等の優れた特性を有し、色相もほぼニュートラルブラックである樹脂ブラックマトリックス、それを製造するための黒色ペーストおよびそれを用いたカラーフィルタに関するものである。
【０００２】
【従来の技術】液晶表示用装置等に使用される色分解のカラーフィルタは光透過性基板上に形成された赤、緑、青の三原色の画素から構成されている。そして、各画素に一定の幅を持つ遮光領域（一般にブラックマトリックスと称されている）を有するカラーフィルタは知られており、例えば特開昭６２−２５４１０３号公報に示されている。
【０００３】液晶表示用装置等におけるカラーフィルタのブラックマトリックスは液晶セルに対して各フィルタ画素毎に電圧印加を行う必要上、遮光性および電気絶縁性を兼ね備えている必要がある。
【０００４】このブラックマトリックスとして、真空蒸着法またはスパッタ法を用いて形成されたＣｒ、Ｎｉ、Ａｌ等の金属単層構造薄膜、あるいは金属、金属酸化物、および金属窒化物等からなる多層構造薄膜をフォトエッチングによりパターンニングする方法、例えば特開昭６２−１４１０３号公報に示されているように透明樹脂をフォトリソグラフィ法によりパターンニングした後、黒色染料で染色する方法、例えば特開平２−１９６２８４号公報、特開平２−２３９２０４号公報に示されているようにカーボンブラック等の黒色色素を含むバインダー樹脂を用いて、フォトリソグラフィ法によりパターンニングする方法、例えば特開平４−１３１０５号公報に示されているように、樹脂中に互いに補色関係にある顔料を少なくとも二色以上分散し、フォトリソグラフィ法によりパターンニングする方法、さらには特開平７−１８１４７４号公報に示されているように、遮光層を二層構造とし、遮光層の第一層には蒸着、スパッタ等による導電性膜、あるいはポリマ中に導電性粒子を分散した膜で高遮光性を付与し、第二層にはポリマ中に有機顔料や電気絶縁性の酸化物粒子を分散した膜で高絶縁性を付与する方法、またストライプ画素においては各色画素の両端を一部重ねることで遮光領域を形成する色重ね方法等が知られている。
【０００５】
【発明が解決しようとする課題】カラーフィルタに用いられるブラックマトリックスの目的は、第１に表示された画像のコントラストを向上させることで液晶表示用装置の表示品質を改善することにある。そのためブラックマトリックスには高い遮光性が要求されている。
【０００６】近年各分野に用途展開が進んでいる、各画素に非線形素子（スイッチング素子）が配置された例えばＴＦＴ（薄膜トランジスタ）によるアクティブマトリックス駆動方式では、ブラックマトリックスは光リーク電流によるスイッチング素子の誤作動を抑止する目的にも使用され、この場合のブラックマトリックスにも高い遮光性が要求されている。また、視野角を改善したスーパーＴＦＴとも称されるＩＰＳ（Ｉｎ−Ｐｌａｎｅ  Ｓｗｉｔｃｈｉｎｇ）駆動方式は、ＴＦＴアレイ側のガラス基板に表示電極および共通電極を配置し、ガラス基板に平行方向の横電解で液晶を駆動し広視野角を得る方式のため、液晶の配向不良防止には基板に垂直な縦電解を抑制する必要があるため、カラーフィルタ側基板のブラックマトリックスには高い遮光性の他、電気絶縁性が要求される。
…（中略）…
【０００９】黒色染料で染色する方法、および色画素の両端を一部重ねることで遮光領域を形成する色重ね方法においては、高い電気絶縁性が得られるものの、遮光性が不足し、画像のコントラスト改善が不十分となる問題がある。色重ね方法においては、更にカラーフィルタの表面平坦化が難しく、色ムラが発生し易い等の問題もある。
【００１０】カーボンブラック等の黒色色素を含むバインダー樹脂をパターンニングする方法においては、低反射かつ高遮光性のブラックマトリックスが得られるものの、例えばカーボンブラックでは、その導電性のため電気絶縁性が不足する問題がある。また遮光層を二層構造とし、第一層で遮光性、第二層で電気絶縁性を付与する方法においては、製造コストが高いこと、製造工程が煩雑になる問題がある。
【００１１】本発明は、かかる技術の諸欠点に鑑み創案されたもので、その目的とするところは高い遮光性と電気絶縁性を有し、低反射性、高解像度、色相もほぼニュートラルブラックである等の優れた特性を有し、液晶表示装置に組み込んだ場合に優れた画像を表示できる樹脂ブラックマトリックス、それを製造するための黒色ペーストおよびそれを用いたカラーフィルタに関するものであり、低製造コストでこれらの目的を達成することにある。
【００１２】
【課題を解決するための手段】上記の目的を達成するために、本発明は樹脂中に遮光剤を分散せしめてなるブラックマトリックスであって、比抵抗率が７×１０4 Ω・ｃｍ以上、もしくは膜厚１μｍあたりの面抵抗値が１×１０8 Ω／ｃｍ2 以上であることを特徴とする樹脂ブラックマトリックス、および、該樹脂ブラックマトリックスを用いることを特徴とするカラーフィルターからなる。」
　
（７）引用例６
　本願出願前に頒布された刊行物である、特開平１０−１７０９５８号公報（以下「引用例６」という。）には、図面とともに、以下の事項の記載がある。
ア　【特許請求の範囲】の欄
「【特許請求の範囲】
【請求項１】少なくとも一方が透明な一対の基板の一方に形成されたカラー表示のための色の異なる少なくとも２種類以上のカラーフィルタと、各カラーフィルタの間に介在させたブラックマトリクスと、前記一対の基板の他方に形成された電極群と、前記一対の基板間に挟持された誘電異方性を有する液晶組成物質層と、前記一対の基板の対向面に形成されて前記液晶組成物質の分子配列を所定の方向に配列させるための配向制御層と、前記一対の基板の少なくとも一方に積層された偏光板、および前記電極群に駆動電圧を印加するための駆動手段とを具備したカラー液晶表示装置において、
前記電極群が前記配向制御層および前記液晶組成物質層の界面に対して、主として平行な電界を印加するごとく配置された配列構造を有し、
表示領域外周のブラックマトリクスの光学濃度ＯＤ値が３．０以上、好ましくは３．５以上で、比抵抗値が１０8 Ω・ｃｍ以上であることを特徴とするカラー液晶表示装置。
【請求項２】前記基板の表示領域内のブラックマトリクスは、比抵抗値が１０8 Ω・ｃｍ以上でかつ光学濃度ＯＤ値が２．０以上、好ましくは２．５以上であることを特徴とする請求項１記載のカラー液晶表示装置。」
　
イ　【発明の詳細な説明】の欄
「【０００１】
【発明の属する技術分野】本発明は、液晶表示装置に係り、特にブラックマトリクスの比抵抗が問題となるＩＰＳ（Ｉｎ−Ｐｌａｎｅ  Ｓｗｉｔｃｈｉｎｇ  Ｍｏｄｅ）方式ＴＦＴ−ＬＣＤなどに好適なカラーフィルタ基板を有する液晶表示装置に関する。
【０００２】
【従来の技術】各種の情報機器のフラットパネルディスプレイとして液晶表示装置が広く使用されている。液晶表示装置は、画素の選択方式の違いによりアクティブ・マトリクス方式と単純マトリクス方式とに大別される。
【０００３】上記何れの方式においても、この種の液晶表示装置は、少なくとも一方が透明な、かつ一方または双方に画素選択用の電極あるいは電極とスイッチング素子を形成してなり、一対の基板の間に誘電異方性を有する液晶組成物質層を挟持して上記電極あるいは電極とスイッチング素子を選択することで所要の画素を点灯させて画像表示を行う。また、上記基板の表示領域の液晶組成物質層との界面にはラビング処理した液晶配向制御層（配向膜）が形成され、液晶組成物質層を構成する分子を所定の方向に配向させている。
【０００４】多色のカラー表示を行う所謂カラー液晶表示装置では、上記一対の基板の透明な基板に複数（一般には３種類：３原色）のカラーフィルタを所定の相互配置関係で形成し上記カラーフィルタの透過光または反射光を制御してカラー表示を得るようにしている。
【０００５】カラーフィルタ基板は、透明基板上に各色の着色層とこの着色層の境界部分に遮光層（所謂、ブラックマトリクス、以下単にＢＭとも記す）が形成されている。
…（中略）…
【０００９】一方、液晶表示装置の視野角特性を改善するために、基板に対して主として平行な電界を発生させ、液晶組成物層を構成する液晶分子を基板に対して略々平行に駆動させる方式（ＩＰＳ方式、または横電界方式とも称する）が提案されている。
【００１０】図８はＩＰＳ方式液晶表示装置のカラーフィルタ基板を説明する模式図であって、（ａ）は平面図、（ｂ）は画素部（表示領域）の拡大図である。
【００１１】同図において、１はカラーフィルタ基板、２は額縁部（表示領域の外周部）、３は表示領域、４ａは表示領域のＢＭ、５（５Ｒ，５Ｇ，５Ｂ）はカラーフィルタ（赤、緑、青）である。
【００１２】図示したように、３色のカラーフィルタ５Ｒ，５Ｇ，５ＢのそれぞれはＢＭ４ａで区画され、コントラストを向上させている。
【００１３】図９はＩＰＳ方式液晶表示装置の構造例を説明する要部断面図であって、６ａは上透明基板、６ｂは下透明基板、７ａはフィルタの保護膜、７ｂは電極の保護膜、８ａは上偏光板、８ｂは下偏光板、９ａは上配向膜（液晶組成制御層）、９ｂは下配向膜、１０（１０ａ，１０ｂ）は電極、１１ａは配向された液晶組成層、１１ｂは非配向の液晶組成層、１２はシール材、図１と同一符号は同一部分に対応する。
【００１４】この液晶表示装置はカラーフィルタ５を形成したカラーフィルタ基板と、画素選択用のスイッチング素子ＴＦＴを駆動する電極１０を形成したＴＦＴ基板の間に液晶組成物層１１を挟持し、周辺をシール材１２で封止してなる。
【００１５】液晶組成物層１１は各基板に形成した上下配向膜９ａと９ｂでの表示領域３の分子方向が所定の向きに配向されている（１１ａ）。しかし、額縁部２は非配向の状態になっている（１１ｂ）。
【００１６】図１０はカラーフィルタ基板の額縁部近傍の構造例を説明する拡大断面図であって、図９と同一符号は同一部分に対応する。
【００１７】表示領域を構成する各カラーフィルタ５Ｒ，５Ｇ，５Ｂの境界は顔料分散レジストからなるＢＭ４ａで区画され、額縁部にはＢＭ４ａと同一材料のＢＭ４Ｂが形成されている。
【００１８】このＩＰＳ方式のカラー液晶表示装置におけるカラーフィルタは、横電界成分の乱れを防ぐために高抵抗の材料で構成することが要求される。
【００１９】この方式のカラー液晶表示装置は、本願出願人の出願に係る特願平７−１４７７２０号、特願平７−１９１９９４号の明細書に記載されているように、カラーフィルタの構成材料は比抵抗が１０8 Ω・ｃｍ以上の特性をもつ必要がある。」
　
（７）引用例７
　本願出願前に頒布された刊行物である、特開平９−５７６３号公報（以下「引用例７」という。）には、図面とともに、以下の事項の記載がある。
ア　【要約】の欄
「【目的】横電界型における遮光性を向上させる、液晶分子に作用する電界の乱れを無くしたブラックマスクを備えたカラー液晶表示装置を提供する。
【構成】カラーフィルタFIL(R),FIL(G),FIL(B)と各カラーフィルタ間に介在させたブラックマスクBMを形成した一方の基板SUB2と、電極群WO形成した他方の基板と、電極群に駆動電圧を印加するための駆動手段とを少なくとも具備し、前記電極群が基板SUB2の界面に対して、主として平行な電圧を印加するごとく配置されてなり、かつブラックマスクがポリイミド樹脂を基材として含み、電気抵抗が１０8 Ω・ｃｍ以上の材料で構成した。」
　
イ　【特許請求の範囲】の欄
「【請求項１】少なくとも一方が透明な一対の基板、前記一対の基板の一方に形成されたカラー表示のための色の異なる少なくとも２種類以上のカラーフィルタと各カラーフィルタ間に介在させたブラックマスクと、前記一対の基板のうち他方の基板上に形成された電極群と、前記一対の基板間に誘電異方性を有する液晶組成物質およびこの液晶組成物質の分子配列を所定の方向に配向させるための配向制御層と、前記一対の基板の少なくとも一方に積層された偏光手段、および前記電極群に駆動電圧を印加するための駆動手段とを具備するカラー液晶表示装置において、
前記電極群が前記配向制御層および前記液晶組成物層の界面に対して、主として平行な電圧を印加するごとく配置された電極配列構造を有し、
前記ブラックマスクがポリイミド樹脂を基材として含み、電気抵抗が１０8 Ω・ｃｍ以上の材料で構成したことを特徴とするカラー液晶表示装置。」
　
ウ　【発明の詳細な説明】の欄
「【０００１】
【産業上の利用分野】本発明は、液晶表示装置にかかり、特に、視野角が広く、表示画面にわたって均一な輝度分布を有する高い表示品質のカラー液晶表示装置に関する。
…(中略)…
【０００８】一方、液晶に印加する電界の方向を基板の界面にほぼ平行な方向とする表示方式として、液晶層を駆動する電極を基板面と平行な櫛歯電極対を用いる方式（所謂、横電界方式あるいは横電界型）が、例えば特公昭６３−２１９０７号公報、特表平５−５０５２４７号公報等により提案されている。
【０００９】この種の横電界方式の液晶表示装置では、基板の界面にほぼ平行な方向に電界を印加するために画素電極と共通電極を同一基板面内に配置する電極構造となっている。
…(中略)…
【００３８】
【発明が解決しようとする課題】ブラックマスクとして金属クロムを用いたり、また図６に示したブラックマスク１７の遮光性を向上させるために炭素粉末等の導電性材料の混合量を増加させると導電率ρＢＭが大きくなって絶縁性が低くなり、共通電極２とブラックマスク１７の間に電界が形成され、共通電極２と画素電極１１間に平行に形成される電界を乱し、ブラックマスク１７の下部近傍では基板の上下方向（縦方向）の電界成分が増加し横方向の電界１６の成分が減少して液晶２１の回転量が少なくなったり、ブラックマスク１７の近傍にドメイン３０が発生し、コントラストが低下するという問題があった。
【００３９】このように、前記金属クロムや炭素粉末等を混合した材料て形成したブラックマスクは導電性を有しており、横電界型液晶素子にとっては大きく表示品質を損なう結果となる。
【００４０】特に、炭素粉末等を添加した樹脂系材料で形成したブラックマスクでは、遮光率を高くするために上記炭素粉末の添加量を増加させると、ますます電気抵抗が低下して導電性をもち、上記したような表示品質の劣化を招く結果となる。
【００４１】すなわち、抵抗の低いブラックマスクを横電界方式の液晶素子に用いた場合には、本来の電極（画素電極）に対してブラックマスクが対抗電極として働く可能性が生じる。ブラックマスクが対抗電極として働いた場合、液晶分子の動きは電極基板に対し平行では無くなり、横電界方式（横電界型）の液晶素子の特徴であ広視野角特性が損なわれる結果となる。
【００４２】本発明の目的は、上記従来技術の問題点を解消し、特に横電界型における遮光性を向上させると共に、液晶分子に作用する電界の乱れを無くしたブラックマスクを備えたカラー液晶表示装置を提供することにある。
【００４３】
【課題を解決するための手段】上記目的を達成するために本発明では、カラー液晶表示装置を構成する液晶素子のカラーフィルタ基板に形成するブラックマスクを、光学濃度が高く、かつ高絶縁性の材料を用いて形成する。
【００４４】実際には、ポリイミド系の感光性樹脂を用い、更に光および熱により硬化する過程で光学濃度が上昇する特徴を活かし、略々黒色で絶縁性の高いブラックマスクを得るようにした。
【００４５】すなわち、請求項１に記載の第１の発明は、少なくとも一方が透明な一対の基板、前記一対の基板の一方に形成されたカラー表示のための色の異なる少なくとも２種類以上のカラーフィルタと各カラーフィルタ間に介在させたブラックマスクと、前記一対の基板のうち他方の基板上に形成された電極群と、前記一対の基板間に誘電異方性を有する液晶組成物質およびこの液晶組成物質の分子配列を所定の方向に配向させるための配向制御層と、前記一対の基板の少なくとも一方に積層された偏光手段、および前記電極群に駆動電圧を印加するための駆動手段とを具備するカラー液晶表示装置において、前記電極群が前記配向制御層および前記液晶組成物層の界面に対して、主として平行な電圧を印加するごとく配置された電極配列構造を有し、前記ブラックマスクがポリイミド樹脂を基材として含み、電気抵抗が１０8 Ω・ｃｍ以上の材料で構成したことを特徴とする。
…(中略)…
【０１０９】
【発明の効果】従来のブラックマスクは、クロム等の金属膜、カーボン等の導電性粒子を大量に含んだ系で製作されており、ブラックマスク自体が対向電極になる可能性が有った。
【０１１０】特に、横電界型の液晶表示装置では、上記ブラックマスクの導電性に起因する電界の乱れが表示品質を大きく損なう結果となる。
【０１１１】これに対し、上記本発明によれば、光及び熱により架橋反応が進み、更に着色現象を生じるポリイミド系樹脂をブラックマスクの材料として用いることにより、遮光性を損なうこと無く、高絶縁性のブラックマスクを得ることができ、高コントラスト、高効率のカラー表示が得られるカラー液晶表示装置を提供することができる。」
　
（９）引用例８
　本願出願前に頒布された刊行物である、特開平１０−１６２６号公報（以下「引用例８」という。）には、以下の事項の記載がある。
ア　【特許請求の範囲】の欄
「【請求項１】  遮光性材料および高分子材料を含有し、該遮光性材料が有機顔料と酸化チタン顔料又は／及び酸窒化チタン顔料とからなる顔料混合物であることを特徴とする顔料分散組成物。
【請求項２】  有機顔料と酸化チタン顔料又は／及び酸窒化チタン顔料との混合重量比が２０〜８０：８０〜２０である請求項１に記載の顔料分散組成物。
【請求項３】  有機顔料がペリレン系、フタロシアニン系、アンスラキノン系、ジオキサジン系、キナクリドン系、アゾ系、イソインドリノン系またはチオインジゴ系顔料である請求項１または２に記載の顔料分散組成物。
【請求項４】  高分子材料と遮光性材料との重量比が８０〜３０：２０〜７０である請求項１〜３のいずれかに記載の顔料分散組成物。
【請求項５】  請求項１〜４のいずれかに記載の顔料分散組成物を用い基板の表面に遮光性薄膜を形成することを特徴とする表面に遮光性薄膜を有する基板の製造方法。」
　
イ　【発明の詳細な説明】の欄
「【０００１】
【発明の属する技術分野】本発明は顔料分散組成物およびその応用に関する。更に詳しくは、本発明は、特に、液晶表示素子や撮像素子などに用いられるカラーフィルターの遮光性薄膜の形成に有用な顔料分散組成物およびその応用に関する。
【０００２】
【従来の技術】液晶表示素子（ＬＣＤ）などに用いられるカラーフィルターにおいて、コントラストや色純度の向上、あるいは、スイチッング素子などへの光洩れの防止のために、例えば、透明基板上に形成された赤、緑および青色の各透明着色微細パターンの間隙にブラックマトリックスと呼ばれる遮光性薄膜を設けることや、スイッチング素子の上に配置される基板上に不要光を遮る遮光性薄膜を設けることが知られている。
【０００３】近年、ＬＣＤの急速な大型化、高精彩化、生産量の増加などに伴って遮光性薄膜の諸特性や生産性などに対する要求が一層強まってきている。例えば、高遮光性とともに、塗膜の平坦性や平滑性、基板やオーバーコート（保護膜）との密着性がよりすぐれることなどの他、最近では、特に耐熱性、耐水性、耐湿性、耐アルカリ性、耐溶剤性、耐液晶性等の信頼性が強く要望されるようになってきている。
【０００４】このような遮光性薄膜を形成する材料としては、金属系および樹脂系材料が主に用いられている。金属系材料としてはクロム等が、また、樹脂系材料としては、樹脂等の高分子材料とカーボンブラック等の遮光性材料とを含む塗料組成物が用いられている。しかしながら、クロム等の金属材料には、環境汚染の問題、形成した遮光性薄膜の光反射率が高いという問題、さらには製造コストが高いといった問題などがあるために、現在では樹脂系材料が注目されている。
【０００５】
【発明が解決しようとする課題】本発明者らは、特に、液晶表示素子などに用いられるカラーフィルターの遮光性薄膜に要求される諸特性が優れ、保存安定性や分散安定性にも優れる工業的有利な樹脂系材料について鋭意検討を行い、特定の顔料分散組成物を見出して本発明を完成するに至った。
【０００６】
【課題を解決するための手段】本発明は、遮光性材料および高分子材料を含有し、該遮光性材料が有機顔料と酸化チタン顔料又は／及び酸窒化チタン顔料とからなる顔料混合物であることを特徴とする顔料分散組成物、およびその顔料分散組成物を用いて表面に遮光性薄膜を有する基板を製造する方法を提供する。
【０００７】
【発明の実施の形態】以下、本発明の実施の形態について詳細に説明する。
【０００８】本発明においては、有機顔料と酸化チタン顔料又は／及び酸窒化チタン顔料とからなる顔料混合物を遮光性材料として用いる。ここで、有機顔料は、着色力が大きく、色彩的特性が優れているほか耐光性、耐熱性、 耐溶剤性、 耐薬品性を備えているかぎり特に制限されることはなく、例えば、ペリレン系、フタロシアニン系、アンスラキノン系、ジオキサジン系、キナクリドン系、アゾ系、イソインドリノン系、 チオインジゴ系などの顔料の一種または二種以上の混合物を用いることができる。これらの有機顔料中、本発明においては、特に、ペリレンブラック等のペリレン系顔料が好適である。
【０００９】酸化チタン顔料としては、 酸化チタンのほかに、酸化チタンに硫酸カルシウム、 硫酸マグネシウム、 硫酸バリウム等の白色顔料を配合した複合顔料、 酸化チタン粒子の表面をアルミナ、 ジルコニア、三酸化アンチモン、 酸化亜鉛等の白色顔料で被覆した被覆顔料等を挙げることができる。
【００１０】酸窒化チタン顔料としては、例えば、二酸化チタンまたは水酸化チタンに、必要によりバナジウム化合物を付着させた後、アンモニアの存在下に高温還元することによって得られるものなどが挙げられるが、通常は、チタンブラックとして市販されているものを好適に用いることができる。これらの酸化チタン顔料および酸窒化チタン顔料は、それぞれに、その単独または、 二種以上を混合して使用することができ、また酸化チタン顔料の少なくとも一種と酸窒化チタン顔料の少なくとも一種との混合物を使用することもできる。 本発明においては、このような態様で使用する酸化チタン顔料又は／及び酸窒化チタン顔料を、以下チタン系顔料という。」
　
（１０）引用例９
　本願出願前に頒布された刊行物である、特開平１０−１１４８３６号公報（以下「引用例９」という。）には、以下の事項の記載がある。
ア　【特許請求の範囲】の欄
「【請求項１】高分子化合物とチタンブラックを含有し、かつ下記の性質を有する黒色顔料組成物：顔料組成物膜の、波長３８０〜７８０ｎｍにおける透過光の色度が、Ｙ＝１．０のとき、０．１７０≦ｘ≦０．２７０、０．１９０≦ｙ≦０．３２０である
【請求項２】高分子化合物がカルボキシル基を有する化合物である請求項１に記載の黒色顔料組成物。
【請求項３】チタンブラックの含有量が組成物の固形分中６０〜８０重量％である請求項１または２に記載の黒色顔料組成物。
【請求項４】チタンブラックの一次粒子の粒径が、０．０１〜１μｍで、かつ比表面積が５〜４０ｍ2 ／ｇである請求項１ないし３のいずれか一項に記載の黒色顔料組成物。
【請求項５】放射線により架橋反応を起こし得る化合物、光重合開始剤及び請求項１ないし４のいずれか一項に記載の黒色顔料組成物とからなる黒色感放射線性樹脂組成物。
【請求項６】有機顔料を含有する請求項５に記載の黒色感放射線性樹脂組成物。
【請求項７】無機顔料を含有する請求項５または６に記載の黒色感放射線性樹脂組成物。
【請求項８】請求項５ないし７のいずれか一項に記載の黒色感放射線性樹脂組成物の黒色硬化膜。
【請求項９】体積抵抗率（膜厚１〜２μｍ、電圧３０Ｖ以下）が、１０7 Ω・ｃｍ以上である請求項８に記載の黒色硬化膜。
【請求項１０】請求項８または９に記載の黒色硬化膜を有するカラーフィルター。
【請求項１１】請求項１０に記載のカラーフィルターを有する表示材料。」
　
イ　【発明の詳細な説明】の欄
「【０００１】
【産業上の利用分野】本発明は、黒色顔料組成物、黒色感放射線性樹脂組成物及び高抵抗黒色硬化膜に関し、特に液晶表示装置、電子表示装置、ＣＣＤ等の表示材料に使用されるブラックマトリックス形成用の樹脂組成物に関するものである。
【０００２】
【従来技術】液晶表示装置、電子表示装置、ＣＣＤ等のカラー表示材料に使用されるカラーフィルターには、少なくとも２種類以上の色相に着色された微細な画素間に、光を遮断しコントラストを向上させる目的及び色純度の低下を防止するため、ブラックマトリックスが形成されている。
【０００３】従来、このようなブラックマトリックスは、通常ガラス基板上にＣｒ、Ｎｉ、Ａｌ等の金属薄膜を蒸着、スパッタ、真空成膜法等により形成し、この金属薄膜上にフォトレジストを塗布、所望のパターンを施したフォトマスクを介して紫外線を照射した後、現像処理しレジストパターンを得、エッチング等の手段を用いてレジスト部分以外の金属薄膜部を除去し、最終的にレジストを剥離し得ていた。しかしながら、これらの工程は煩雑なため、製造コストが高く、これを用いるカラーフィルターのコストも高くなるという欠点がある。また、エッチング等により除去される金属の除害設備等が必要なことから、更にコストがかかるという問題点をはらんでいる。
【０００４】一方、上記のような金属薄膜を用いたブラックマトリックスの問題点を改善する種々の方法が検討されている。例えば、特開平２−２３９２０４には、ポリイミド樹脂にカーボンブラック等の遮光剤を分散し、これを用いてブラックマトリックスを形成する方法が提案されている。しかしながらこの方法は、ガラス基板に組成物を塗布し膜を形成した後、更にその膜上にフォトレジストを塗布し、露光、現像、エッチング、レジスト剥離の工程を経るものであり、工程の簡略化、コストの低減の面で不十分である。
【０００５】また、感放射線性樹脂に色素を直接内添した組成物が報告されている。これらの材料の多くは、遮光性を上げるためカーボンブラックを用いており、例えば特開平４−６３８７０には、光重合性化合物に、カーボンブラック、有機顔料を分散し、これによりブラックマトリックスを形成する方法が提案されている。この方法によれば、ガラス基板上に、組成物を塗布し、露光、現像の工程のみでブラックマトリックスが形成され、工程の簡略化に大きく寄与できる。
【０００６】しかしながら、カーボンブラックは遮光性が他の有機顔料に比べ高いものの導電性を有し、遮光性を上げるため感放射線性樹脂中にカーボンブラックをあまり多く内添させると、形成されたブラックマトリックス自体も導電性を有してしまう。そのため、これらの材料を用いてカラーフィルターを製造した場合、液晶駆動電極と導通、又はブラックマトリックスを通じて電界がにげてしまい、その結果液晶が作動しない、あるいは誤動作する等の不具合が生じてしまうため、更に厚い絶縁性の膜あるいは、電界遮断膜を形成する必要があるという欠点がある。
【０００７】かかる不具合を解決するため、特開平１−１４１９６３にはチタンの酸化物もしくは酸窒化物を用いた被覆組成物の提案がなされている。この組成物は、体積抵抗率が１０5 Ω・ｃｍ以上であるとされているものの、チタンの酸化物もしくは酸窒化物を含む組成物は、オーミックな挙動を示さず、印加電圧が高いほどその体積抵抗率は低くなる傾向がある。測定器の印加電圧は極めて低いものであり、液晶表示装置等のデバイスに印加される電圧、すなわち３〜３０Ｖでの体積抵抗率は、これより低くなり、最悪の場合絶縁破壊を起こすおそれがあるという欠点を有している。
【０００８】
【発明が解決しようとする課題】このため印加電圧が高い状況下、また強電界中でも絶縁破壊を起こすことのない高抵抗黒色硬化膜の開発が望まれている。
【０００９】
【課題を解決するための手段】本発明者らは、上記のような問題を解決するために鋭意検討した結果、本発明に至ったものである。
【００１０】すなわち、本発明は、
（ａ）  高分子化合物とチタンブラックを含有し、かつ下記の性質を有する黒色顔料組成物
顔料組成物膜の、波長３８０〜７８０ｎｍにおける透過光の色度が、Ｙ＝１．０のとき、０．１７０≦ｘ≦０．２７０、０．１９０≦ｙ≦０．３２０である
（ｂ）  高分子化合物がカルボキシル基を有する化合物である（ａ）に記載の黒色顔料組成物
（ｃ）  チタンブラックの含有量が組成物の固形分中６０〜８０重量％である（ａ）または（ｂ）に記載の黒色顔料組成物
（ｄ）  チタンブラックの一次粒子の粒径が、０．０１〜１μｍで、かつ比表面積が５〜４０ｍ2 ／ｇである（ａ）ないし（ｃ）のいずれか一項に記載の黒色顔料組成物
（ｅ）  放射線により架橋反応を起こし得る化合物、光重合開始剤及び（ａ）ないし（ｄ）のいずれか一項に記載の黒色顔料組成物とからなる黒色感放射線性樹脂組成物
（ｆ）  有機顔料を含有する（ｅ）に記載の黒色感放射線性樹脂組成物
（ｇ）  無機顔料を含有する（ｅ）または（ｆ）に記載の黒色感放射線性樹脂組成物
（ｈ）  （ｅ）ないし（ｇ）のいずれか一項に記載の黒色感放射線性樹脂組成物の黒色硬化膜
（ｉ）  体積抵抗率（膜厚１〜２μｍ、電圧３０Ｖ以下）が、１０7 Ω・ｃｍ以上である（ｈ）に記載の黒色硬化膜
（ｊ）  （ｈ）または（ｉ）に記載の黒色硬化膜を有するカラーフィルター
（ｋ）  （ｊ）に記載のカラーフィルターを有する表示材料
【００１１】
【発明の実施の形態】以下に本発明の黒色顔料組成物、黒色感放射線性樹脂組成物及び高抵抗黒色硬化膜について詳細に説明する。
…（中略）…
【００３９】チタンブラックは、チタンの酸化または二酸化チタンの還元により得られるもので、例えば二酸化チタンと一酸化チタン及び／又は窒化チタンを構成成分とする黒色顔料であり、例えば三菱マテリアル（株）より市販されている。本発明に用いられるチタンブラックとしては、抵抗率を付与しさらに高い遮光性および塗布膜均一性を得るために、一次粒子の粒径が、０．０１〜１μｍで、かつ比表面積が５〜４０ｍ2 ／ｇであるものが好ましい。粒径が０．０１μｍ未満および比表面積が４０ｍ2 ／ｇを越えると、必要充分な遮光性が得られないばかりでなく、分散性が低くなり、逆に粒径が１μｍを越えるおよび比表面積が５ｍ2 ／ｇ未満の場合、表面光沢性が損なわれるばかりでなく、抵抗率も付与できない。
…（中略）…
【００６４】
【発明の効果】本発明の黒色顔料組成物は、成膜した際、波長３８０〜７８０ｎｍにおける透過光の色度が、Ｙ＝１．０のとき、０．１７０≦ｘ≦０．２７０、０．１９０≦ｙ≦０．３２０の色度を有し、それらを用いて調製した黒色感放射線性樹脂組成物の黒色硬化膜は、充分な遮光性、密着性、高抵抗率を有し、液晶表示装置、電子表示装置やＣＣＤ等の表示材料に使用される高精細なブラックマトリックスパターンを簡便に製造することができる。また、この黒色硬化膜を有するカラーフィルターを液晶表示装置に使用すると、液晶駆動電極と導通、又はブラックマトリックスを通じて電界がにげることがなく、その結果液晶が安定に作動する。」
　
（１１）引用例１０
　本願出願前に頒布された刊行物である、特開平１−１４１９６３号公報（以下「引用例１０」という。）には、以下の事項の記載がある。
　
ア　第１頁左下欄　特許請求の範囲の欄
「（１）樹脂結合剤及び黒色顔料を主成分とする黒色被覆組成物において、前記黒色顔料が一般式：
　　ＴｉＮｘＯｙ（但し、０≦ｘ＜１．２５及び０．１６＜ｙ＜２）で示され、かつ体積固有抵抗値が１０５Ω・ｃｍ以上であるチタンの酸化物もしくは酸窒化物の微粉末であることを特徴とする被覆組成物。
（２）前記黒色被覆組成物の透過光の光学濃度〔Ｏ．Ｄ値〕が膜厚３μ以下において２．０以上である特許請求の範囲第１項に記載の黒色被覆組成物。」
　
イ　第１頁右下欄第１−５行〜第３頁右下欄第４−１３行〜第４頁左上欄第４−１４行
「３．発明の詳細な説明の欄
〔産業上の利用分野〕
　本発明は電気的、化学的に安定で、かつ隠蔽力が大きく、特にインク用として好適な黒色被覆組成物に関するものである。
…（中略）…
　本発明の被覆組成物は電気絶縁性で、かつ黒色仕上げが要求される各種用途に広く適用可能であり、特に電子機器分野において好適に適用出来る。例えば、複写機、カメラ、ファクシミリなど各種光学機械、装置などに組み込まれる電子部品、スイッチ素子、コネクターなどの、光吸収性を良くし、かつ電気絶縁性が要求されるパーツ、部品類の被覆剤あるいはプラズマ発光デイスプレィ、ＥＬ発光デイスプレィ等の表示部周辺のブラックマスク剤として使用出来る。
…（中略）…
〔発明の効果〕
　本発明の被覆組成物は前記特定のチタンの酸化物もしくは酸窒化物の黒色顔料を使用しているため、該顔料の黒色着色度、隠蔽力の良さ、一次粒子への分散のしやすさ、及び電気絶縁性の良さ等の特性が発揮され、それ故得られる被膜は薄膜であっても、平滑性、黒色着色度、隠蔽性等に優れ、さらに電気絶縁性、耐光性、熱安定性等も優れているので３μ以下の薄膜を形成する前記印刷用インクとして好適であり、また前記用途に好適に適用出来、産業上、非常に価値の高いものである。」
　
　
３　本願補正発明と引用発明１の対比
　本願補正発明と引用発明を対比する。
（１）引用発明１における「着色パターン」、「遮光性材料」及び「液晶表示素子」はそれぞれ、本願補正発明における「着色層」、「遮光剤」及び「液晶表示装置」に相当することは当業者には明らかである。
　
（２）引用発明１は、「遮光性材料及び高分子材料を含有する黒色塗料組成物を用いてブラックマトリックスと呼ばれる遮光性薄膜を形成した、液晶表示素子に用いられるカラーフィルターであって」及び「前記遮光性薄膜が窓枠状に形成され、次いで窓状の着色パターンが形成された、液晶表示素子に用いられるカラーフィルター」との発明特定事項を備えるところ、液晶表示装置（液晶表示素子）に用いられるカラーフィルターが透明基板上に形成されること及び着色層（着色パターン）が３原色からなり複数配列したものであることは技術常識であるから、引用発明１の「カラーフィルター」と本願補正発明の「カラーフィルター」は、「透明基板上にブラックマトリックスを設け、さらに３原色からなる着色層を複数配列した液晶表示装置用カラーフィルター」の点で共通する。
　
（３）上記（１）も踏まえ、引用発明１における「遮光性材料及び高分子材料を含有する黒色塗料組成物を用いてブラックマトリックスと呼ばれる遮光性薄膜を形成した」及び「前記高分子材料がアクリル樹脂、ポリエステル樹脂、ポリイミド樹脂などを含む感光性材料からなり」との発明特定事項を、本願補正発明における「（Ａ）該ブラックマトリックスが少なくともポリイミド系樹脂、エポキシ樹脂、アクリル樹脂、ポリエステル系樹脂のいずれかの樹脂とそれに分散された遮光剤からなり」との発明特定事項と対比すると、引用発明１の「ブラックマトリックス」と本願補正発明の「ブラックマトリックス」は、「少なくともポリイミド系樹脂、エポキシ樹脂、アクリル樹脂、ポリエステル系樹脂のいずれかの樹脂とそれに分散された遮光剤からなる」点で共通する。
　
（４）以上を総合すると、本願補正発明と引用発明１は、
「透明基板上にブラックマトリックスを設け、さらに３原色からなる着色層を複数配列したカラーフィルターであって、
　該ブラックマトリックスが少なくともポリイミド系樹脂、エポキシ樹脂、アクリル樹脂、ポリエステル系樹脂のいずれかの樹脂とそれに分散された遮光剤からなる
　液晶表示装置用カラーフィルター」
の点で一致し、次の相違点において相違する。
＜相違点＞
　本願補正発明においては、
　スペーサーがカラーフィルターを形成した基板のブラックマトリックス上及び／又は非表示部に固定されており、
　液晶表示装置がインプレーンスイッチング方式に限定されており、
　ブラックマトリックスの電気抵抗が１０9 Ω・ｃｍ以上に限定されており、
　遮光剤がチタン酸窒化物である
のに対して、
　引用発明１においては、
　スペーサについては特定がなく、
　液晶表示装置についての限定がなく、
　ブラックマトリックスの電気抵抗についても限定がなく、
　遮光剤がチタンブラックである点。
　
　
４　相違点の検討・判断
　上記相違点について検討する。
（１）液晶表示装置用のカラーフィルターにおいて、スペーサーがカラーフィルターを形成した基板のブラックマトリックス上及び／又は非表示部に固定されたものからなることは、例えば引用例２又は引用例３に記載されているように、本願の出願前における技術常識である。また、このようなスペーサが周知のインプレーンスイッチング方式の液晶表示装置にも用いられ得ることは当業者には自明であり、特に引用例３には、上記のスペーサをインプレーンスイッチング方式の液晶表示装置に用いることも記載されている。したがって、引用発明１において、スペーサーとして、カラーフィルターを形成した基板のブラックマトリックス上及び／又は非表示部に固定されたスペーサを選択し、液晶表示装置として、インプレーンスイッチング方式の液晶表示装置を選択することは当業者が容易に想到し得たことである。
　
（２）引用例４の【００５４】に「前記遮光層は、遮光層としての機能以外に液晶の膜厚を制御するスペーサーとしての機能を兼ねたブラックマトリックスとして形成することもできる。この場合体積抵抗率は高いほうが望ましく、１×１０6〜１×１０15Ω・cm、特に１×１０9〜１×１０15Ω・cmが望ましい。」と記載されているように、上下の基板の間隔を決定するスペーサーとしての機能を兼ねたブラックマトリックスの体積抵抗率が高いほど望ましいことは、当業者には自明である。そして、引用例４には、「特に１×１０9〜１×１０15Ω・cmが望ましい。」と記載されている。してみれば、引用発明１において、ブラックマトリックスにスペーサーとしての機能を持たせ、その電気抵抗（体積抵抗率）を１０9 Ω・ｃｍ以上に設定することは、当業者が容易に想到し得たことである。
　また、インプレーンスイッチング方式の液晶表示装置において、ブラックマトリックスの電気抵抗をできる限り高くすべきことは、引用例５、引用例６又は引用例７等に記載されているように周知の事項であり、特に引用例７又は引用例８には、比抵抗を１０8 Ω・ｃｍ以上とすべきことが記載されている。そして、許容値をどの値に定めるかは当業者が適宜定めるべき設計事項にすぎない。したがって、上記（１）において、引用発明１の液晶表示装置としてインプレーンスイッチング方式液晶表示装置を選択した際に、ブラックマトリックスの電気抵抗（比抵抗）を１０9 Ω・ｃｍ以上に設定することは、当業者が適宜なし得たことである。
　
（３）チタン酸窒化物が「チタンブラック」という名称で販売されていることは、本願出願前に周知の事項である（例えば引用例８、特に段落【００１０】参照。）。また、液晶表示装置におけるカラーフィルター等のディスプレイにおける遮光部材の遮光剤としてチタン酸窒化物を用いることは、引用例８のほか、引用例９や引用例１０等にも記載されているように、本願出願前に周知の事項である。したがって、本願補正発明における遮光剤がチタン酸窒化物であるのに対して、引用発明１における遮光剤がチタンブラックである点は、実質的な相違点ではない。
　
（４）本願補正発明が奏する作用効果も、引用発明１、引用例２ないし引用例１０に記載された事項、周知の事項及び技術常識から、当業者が予測できる範囲のものである。
　
（５）以上検討のとおりであるから、本願補正発明は、引用発明１、引用例２ないし引用例１０に記載された事項、周知の事項及び技術常識に基いて、当業者が容易に発明をすることができたものである。
　
　
５　本件補正についてのむすび
　以上検討のとおり、本願補正発明は、特許法第２９条第２項の規定により、特許出願の際独立して特許を受けることができないものであるから、本件補正は、特許法第１７条の２第５項において準用する同法第１２６条第５項に規定する要件を満たさないものであり、特許法第１５９条第１項で読み替えて準用する同法第５３条第１項の規定により却下すべきものである。
　よって、上記結論のとおり決定する。
　
　
　
第３　本願発明について
１　本願発明
　平成２１年７月２８日付け手続補正は上記のとおり却下されたから、本願の請求項１ないし請求項６に係る発明は、本件補正前の、平成２０年１２月２５日付け手続補正により補正された明細書の特許請求の範囲の請求項１ないし請求項６に記載された事項により特定されるものである（請求項１に係る発明を以下「本願発明」という。請求項１の記載については、上記「第２」の「１」の「（２）本件補正前の特許請求の範囲の請求項１」を参照。）。
　
　
２　刊行物及び各刊行物の記載事項並びに引用発明２の認定
（１）刊行物及び各刊行物の記載事項
　原査定の理由に引用された、本願の出願前に頒布された刊行物である引用例２、引用例４及び引用例８、及び、本願の出願前に頒布された刊行物である引用例９及び引用例１０並びに各引用例の記載事項は、前記「第２」の「２　刊行物及び各刊行物の記載事項並びに引用発明１の認定」において記載したとおりである。
　
（２）引用発明２の認定
　上記「第２」の「３　引用例２」に摘記した事項及び図面を含む引用例２全体の記載並びに当業者の技術常識を総合的に勘案すると、引用例２には、次の発明（以下「引用発明２」という。）が記載されているものと認められる。
＜引用発明２＞
「透明基板上に樹脂中に遮光剤を分散させてなる樹脂ブラックマトリクスを設け、さらにその上に３原色からなる着色層を複数配列したカラーフィルタであって、
　前記樹脂ブラックマトリクスが表示領域内のマトリクス及び表示領域周辺部に設けられた額縁を形成し、
　前記樹脂ブラックマトリクスの表示領域内のマトリクス及び表示領域周辺部に設けられた額縁上に３原色からなる着色層の積層により形成されたスペーサーを有し、
　前記遮光剤は、カーボンブラック又は酸化チタンである、
　カラー液晶表示素子用カラーフィルタ。」
　
　
３　本願発明と引用発明２の対比 
　本願発明と引用発明２を対比する。
（１）引用発明２における「前記樹脂ブラックマトリクスの表示領域内のマトリクス及び表示領域周辺部に設けられた額縁上に３原色からなる着色層の積層により形成されたスペーサー」という発明特定事項が、本願発明における「スペーサーがカラーフィルターを形成した基板のブラックマトリックス上およびまたは非表示部に固定されていること」という発明特定事項に相当することは、当業者には明らかである。
　
（２）上記（１）も踏まえると、本願発明と引用発明２は、
「透明基板上にブラックマトリックスを設け、さらに３原色からなる着色層を複数配列したカラーフィルターにおいて、
　該ブラックマトリックスが樹脂とそれに分散された遮光剤からなり、
　スペーサーがカラーフィルターを形成した基板のブラックマトリックス上及び／又は非表示部に固定されている液晶表示装置用カラーフィルター」
の点で一致し、次の相違点において相違する。
＜相違点＞
　本願発明においては、ブラックマトリックスの電気抵抗が１０9 Ω・ｃｍ以上であって、遮光剤がチタン酸窒化物であるのに対して、
　引用発明２においては、ブラックマトリックスの電気抵抗が不明であり、遮光剤は、カーボンブラック又は酸化チタンである点。
　
　
４　相違点の検討及び判断
　上記相違点について検討する。
（１）引用例４の【００５４】に、「前記遮光層は、遮光層としての機能以外に液晶の膜厚を制御するスペーサーとしての機能を兼ねたブラックマトリックスとして形成することもできる。この場合体積抵抗率は高いほうが望ましく、１×１０6〜１×１０15Ω・cm、特に１×１０9〜１×１０15Ω・cmが望ましい。」と記載されているように、上下の基板の間隔を決定するスペーサーとしての機能を兼ねたブラックマトリックスの体積抵抗率が高いほど望ましいことは、当業者には自明である。そして、引用例４には、「特に１×１０9〜１×１０15Ω・cmが望ましい。」と記載されている。してみれば、引用発明２において、ブラックマトリックスにスペーサーとしての機能を持たせ、その電気抵抗（体積抵抗率）を１０9 Ω・ｃｍ以上に設定することは、当業者が容易に想到し得たことである。
　
（２）液晶表示装置におけるカラーフィルター等のディスプレイにおける遮光部材の遮光剤としてチタン酸窒化物を用いることは、引用例８、引用例９及び引用例１０等に記載されているように、本願出願前に周知の事項である。したがって、引用発明２における遮光剤として、カーボンブラック又は酸化チタンに代えてチタン酸窒化物を用いることは、当業者が適宜なし得る設計変更にすぎない。
　
（３）本願発明が奏する作用効果も、引用発明２、引用例４に記載された事項及び周知の事項から、当業者が予測できる範囲のものである。
　
（４）以上検討のとおりであるから、本願補正発明は、引用発明２、引用例４に記載された事項及び周知の事項に基いて、当業者が容易に発明をすることができたものである。
　
　
５　むすび
　以上のとおり、本願の請求項１に係る発明は、本願出願前に頒布された刊行物である上記引用例２に記載された発明、引用例４に記載された事項及び周知の事項に基いて当業者が容易に発明をすることができたものであるから、特許法第２９条第２項の規定により特許を受けることができない。
　したがって、その余の請求項に係る発明について論及するまでもなく、本願は拒絶すべきものである。
　よって、結論のとおり審決する。